(57)【要約】【課題】複数の表示部を備えたカメラにおいて、複数の表示部を有効に使って画像や撮影条件情報などの表示内容を見やすくすることができるカメラを提供する。【解決手段】電子カメラに備えられた上部表示部と背面表示部は、同時に視認不能な第１の位置関係と、同時に視認可能な第２の位置関係（略平行となる位置関係）とに配置可能である。電子カメラのコンピューターは、２つの表示部が略平行であるか否かを判断する（Ｓ１０）。略平行でなければ、上部表示部に「撮影条件情報」を表示し（Ｓ２０）、背面表示部に「撮影画像＋撮影条件情報」を表示する（Ｓ３０）。一方、略平行であれば、上部表示部に「撮影条件情報」を表示し（Ｓ４０）、背面表示部に「撮影画像」を表示する（Ｓ３０）。つまり、略平行である場合は、背面表示部から撮影条件情報の表示が無くなり撮影画像だけが表示される。【選択図】図１６
2010192998.tif 000002
【特許請求の範囲】
【請求項１】
第１表示部と第２表示部とを備えたカメラであって、
前記第１表示部と前記第２表示部とのうち少なくとも一方が姿勢の変更が可能に構成されており、
前記第１表示部と前記第２表示部とが両方を一度に視認不能な第１の位置関係にあるときに第１検知状態になり、両方を一度に視認可能な第２の位置関係にあるときに第２検知状態となる検知手段と、
前記第１表示部と前記第２表示部との各表示内容を、前記検知手段の検知結果に基づく前記位置関係に応じて切り替える表示制御手段と
を備えたことを特徴とするカメラ。
【請求項２】
請求項１に記載のカメラにおいて、
前記第２の位置関係とは、前記第１表示部と前記第２表示部との各表示画面が略平行となる位置関係であることを特徴とするカメラ。
【請求項３】
請求項１又は２に記載のカメラにおいて、
前記表示制御手段は、前記検知手段の第２検知状態では、前記第１検知状態においては前記第１表示部と前記第２表示部とで重複して表示される重複表示内容を、一方の表示部に表示させることを特徴とするカメラ。
【請求項４】
請求項１乃至３のうちいずれか一項に記載のカメラにおいて、
前記表示制御手段は、前記第１検知状態では、前記第１表示部と前記第２表示部のうち一方の表示部に画像に加え当該画像と対応する第２の画像を画面の一部領域に表示させ、前記第２検知状態では、前記第２の画像の表示先を、前記一方の表示部から他方の表示部へ切り替えることを特徴とするカメラ。
【請求項５】
請求項１乃至４のうちいずれか一項に記載のカメラにおいて、
前記第１表示部と前記第２表示部が省電モードにある状態下で、前記検知手段が第１検知状態から第２検知状態に切り替わると、前記第１表示部と前記第２表示部を省電モードから表示モードに切り替えるモード切替手段を更に備えたことを特徴とするカメラ。
【請求項６】
請求項１乃至５のうちいずれか一項に記載のカメラにおいて、
前記表示制御手段が、前記検知手段の第２検知状態の下で、前記第１表示部と第２表示部のうち一方がライブビュー表示中及び撮影画像表示中に画像の一部領域を拡大表示させる操作が行われたことを検知すると、他方の表示部に前記一部領域の拡大画像を表示させることにより、当該他方の表示部が拡大表示専用になることを特徴とするカメラ。
【請求項７】
請求項１乃至６のうちいずれか一項に記載のカメラにおいて、
前記表示制御手段が、前記検知手段の第２検知状態の下で、前記第１表示部と前記第２表示部のうち一方が撮影画像表示中のときに、ヒストグラムを表示させる操作が行われたことを検知すると、他方の表示部にヒストグラムを表示させることにより、当該他方の表示部がヒストグラム表示専用になることを特徴とするカメラ。
【請求項８】
請求項１乃至７のうちいずれか一項に記載のカメラにおいて、
前記表示制御手段は、前記検知手段の第２検知状態の下では、前記第１表示部と前記第２表示部のうち一方がライブビュー表示中又は動画撮影中に、デジタル水準器を表示させる操作が行われたことを検知すると、他方の表示部にデジタル水準器を表示させることにより、当該他方の表示部がデジタル水準器表示専用になることを特徴とするカメラ。
【請求項９】
請求項１乃至８のうちいずれか一項に記載のカメラにおいて、
前記第１表示部と前記第２表示部は、カメラの設定情報を文字表示可能な上部表示部と、ライブビュー及び撮影画像を表示する背面表示部とからなることを特徴とするカメラ。
【発明の詳細な説明】
【技術分野】
【０００１】
本発明は、複数の表示部を備えたカメラに関する。
【背景技術】
【０００２】
従来、電子カメラ（デジタルカメラ）には、液晶表示装置が設けられている。例えば特許文献１には、表示装置と液晶表示器とを備えたカメラが開示されている。表示装置には撮影コマ番号又は撮影可能な残り枚数と、録音可能な残り時間が表示され、液晶表示器はメモリカードの内容を表示したり、スルー画像（ライブビュー画像）を表示してビューファインダーとして用いられる。近年、多くの電子カメラでは、表示装置にはシャッター速度やＩＳＯ感度などの撮影条件情報も表示される。また、２つの表示部のうち少なくとも一方が姿勢変更可能な可動式に構成され、２つの表示部を各々の画面が略直交する位置関係と、略平行となる位置関係とに配置可能な電子カメラも登場している。
【先行技術文献】
【特許文献】
【０００３】
【特許文献１】特開平１０−３２２６５２号公報
【発明の概要】
【発明が解決しようとする課題】
【０００４】
ところで、表示部が可能式の電子カメラでは、液晶表示器の画面には、画像と共に撮影条件情報が表示され、表示装置には、撮影条件情報が表示される。そのため、液晶表示器の画面に表示されるスルー画像や撮影画像、動画などの表示エリアが狭くなったり、これらの画像に撮影条件情報や他の画像が重畳表示されて画像の一部が隠れたりして、画像が見にくかったという問題があった。
【０００５】
本発明は前記の問題点に解決するためになされたものであって、その目的は、複数の表示部を備えたカメラにおいて、複数の表示部を有効に使って画像や撮影条件情報などの表示内容を見やすくすることができるカメラを提供することにある。
【課題を解決するための手段】
【０００６】
上記目的を達成するために、本発明は、第１表示部と第２表示部とを備えたカメラであって、前記第１表示部と前記第２表示部とのうち少なくとも一方が姿勢の変更が可能に構成されており、前記第１表示部と前記第２表示部とが両方を一度に視認不能な第１の位置関係にあるときに第１検知状態になり、両方を一度に視認可能な第２の位置関係にあるときに第２検知状態となる検知手段と、前記第１表示部と前記第２表示部との各表示内容を、前記検知手段の検知結果に基づく前記位置関係に応じて切り替える表示制御手段とを備えたことを要旨とする。
【０００７】
この発明によれば、第１表示部と第２表示部とが両方を一度に視認不能な第１の位置関係にあるときには、検知手段が第１検知状態になる。一方、第１表示部と第２表示部とが両方を一度に視認可能な第２の位置関係にあるときには、検知手段が第２検知状態となる。表示制御手段は、検知手段の検知結果に基づき第１表示部と第２表示部との位置関係（第１の位置関係か第２の位置関係か）に応じて、第１表示部と第２表示部との各表示内容を切り替える。よって、カメラに備わる複数の表示部を有効に使って撮影時に表示部に表示される画像や撮影条件情報などの表示内容を見やすくすることができる。
【０００８】
また、本発明のカメラでは、前記第２の位置関係とは、前記第１表示部と前記第２表示部との各表示画面が略平行となる位置関係であることが好ましい。この発明によれば、第１表示部と第２表示部の各表示画面が略平行とある位置関係では、ユーザーは２つの表示部を同時に視認可能であるので、両表示部の二つ分の画面を有効に活用して、効率よく表示内容を表示させることができる。
【０００９】
また、本発明のカメラでは、前記表示制御手段は、前記検知手段の第２検知状態では、前記第１検知状態においては前記第１表示部と前記第２表示部とで重複して表示される重複表示内容を、一方の表示部に表示させることが好ましい。この発明によれば、第１表示部と第２表示部とが、両方を一度に視認可能な第２の位置関係にあるときには、第１の位置関係にあるときに両表示部間で重複して表示される表示内容が一方の表示部に表示される。よって、他方の表示部から重複表示内容が無くなるか減り、その他方の表示部の表示内容が見やすくなる。
【００１０】
さらに、本発明のカメラでは、前記表示制御手段は、前記第１検知状態では、前記第１表示部と前記第２表示部のうち一方の表示部に画像に加え当該画像と対応する第２の画像を画面の一部領域に表示させ、前記第２検知状態では、前記第２の画像の表示先を、前記一方の表示部から他方の表示部へ切り替えることが好ましい。
【００１１】
この発明によれば、第２検知状態では、第１検知状態で第１表示部と第２表示部のうち一方の表示部に画像と共に画面の一部領域に表示される当該画像と対応する第２の画像の表示先が、他方の表示部に切り替わる。よって、一方の表示部で画像を確認しつつ、他方の表示部で第２の画像を確認できる。また、一方の表示部の表示内容から第２の画像が排除されたことで、一方の表示部の画像が見やすくなる。
【００１２】
また、本発明のカメラでは、前記第１表示部と前記第２表示部が省電モードにある状態下で、前記検知手段が第１検知状態から第２検知状態に切り替わると、前記第１表示部と前記第２表示部を省電モードから表示モードに切り替えるモード切替手段を更に備えることが望ましい。
【００１３】
この発明によれば、省電モードにある状態下で、第１表示部と第２表示部のうち少なくとも一方が操作されて、両表示部が第１の位置関係から第２の位置関係に切り替わると、検知手段が第１検知状態から第２検知状態に切り替わる。すると、それまで消灯していた省電モードから、第１表示部と第２表示部が表示モードに切り替わる。よって、ユーザーが両表示部を一度に視認すべく第２の位置関係に配置すると、両表示部が表示状態になる。よって、省電モードから表示モードに切り替えるため特別な操作を行う必要がない。
【００１４】
また、本発明のカメラでは、前記表示制御手段が、前記検知手段の第２検知状態の下で、前記第１表示部と第２表示部のうち一方がライブビュー表示中及び撮影画像表示中に画像の一部領域を拡大表示させる操作が行われたことを検知すると、他方の表示部に前記一部領域の拡大画像を表示させることにより、当該他方の表示部が拡大表示専用になることが好ましい。
【００１５】
この発明によれば、検知手段の第２検知状態の下で、第１表示部と第２表示部のうち一方がライブビュー表示中及び撮影画像表示中のときに画像の一部領域を拡大表示させる操作が行われたことを検知すると、表示制御手段が、他方の表示部に一部領域の拡大画像を表示させることにより、この他方の表示部が拡大表示専用になる。
【００１６】
さらに、本発明のカメラでは、前記表示制御手段が、前記検知手段の第２検知状態の下で、前記第１表示部と前記第２表示部のうち一方が撮影画像表示中のときに、ヒストグラムを表示させる操作が行われたことを検知すると、他方の表示部にヒストグラムを表示させることにより、当該他方の表示部がヒストグラム表示専用になることが望ましい。
【００１７】
この発明によれば、検知手段の第２検知状態の下で、第１表示部と第２表示部のうち一方が撮影画像表示中のときに、ヒストグラムを表示させる操作が行われたことを検知すると、表示制御手段が、他方の表示部にヒストグラムを表示させることにより、この他方の表示部がヒストグラム表示専用になる。
【００１８】
また、本発明のカメラでは、前記表示制御手段は、前記検知手段の第２検知状態の下では、前記第１表示部と前記第２表示部のうち一方がライブビュー表示中又は動画撮影中に、デジタル水準器を表示させる操作が行われたことを検知すると、他方の表示部にデジタル水準器を表示させることにより、当該他方の表示部がデジタル水準器表示専用になることが好ましい。
【００１９】
この発明によれば、検知手段の第２検知状態の下では、第１表示部と第２表示部のうち一方がライブビュー表示中又は動画撮影中に、デジタル水準器を表示させる操作が行われたことを検知すると、表示制御手段が、他方の表示部にデジタル水準器を表示させることにより、この他方の表示部がデジタル水準器表示専用になる。
【００２０】
さらに、本発明のカメラでは、前記第１表示部と前記第２表示部は、カメラの設定情報を文字表示可能な上部表示部と、ライブビュー及び撮影画像を表示する背面表示部とからなることが好ましい。この発明によれば、上部表示部と背面表示部が第２の位置関係にあるときは、上部表示部と背面表示部の総表示エリアを有効に使って、効率よく必要な表示内容を表示できる。
【図面の簡単な説明】
【００２１】
【図１】２つの表示部が第１の位置関係にあるときの電子カメラの斜視図。
【図２】２つの表示部が第２の位置関係にあるときの電子カメラの斜視図。
【図３】２つの表示部が図２と異なる第２の位置関係にあるときの電子カメラの斜視図。
【図４】電子カメラの模式側断面図。
【図５】電子カメラの電気的構成を示すブロック図。
【図６】（ａ），（ｂ）テーブルデータ図。
【図７】第１の位置関係にあるときのライブビュー時の表示内容を示す画面正面図。
【図８】第２の位置関係にあるときのライブビュー時の表示内容を示す画面正面図。
【図９】第１の位置関係にあるときのライブビュー時の拡大表示を示す画面正面図。
【図１０】第２の位置関係にあるときのライブビュー時の拡大表示を示す画面正面図。
【図１１】第２の位置関係にあるときの動画撮影時の拡大画像表示を示す画面正面図。
【図１２】第１の位置関係にあるときのヒストグラム表示を示す画面正面図。
【図１３】第２の位置関係にあるときのヒストグラム表示を示す画面正面図。
【図１４】第１の位置関係にあるときの水準器表示を示す画面正面図。
【図１５】第２の位置関係にあるときの水準器表示を示す画面正面図。
【図１６】通常表示処理ルーチンを示すフローチャート。
【図１７】ライブビュー時の拡大表示処理ルーチンを示すフローチャート。
【図１８】動画撮影時の拡大表示処理ルーチンを示すフローチャート。
【図１９】ヒストグラム表示処理ルーチンを示すフローチャート。
【図２０】水準器表示処理ルーチンを示すフローチャート。
【発明を実施するための形態】
【００２２】
以下、本発明を電子カメラに具体化した一実施形態を、図１〜図２０に基づいて説明する。図１〜図３は、電子カメラを背面側から見た斜視図であり、カメラ本体に設けられた２つの表示部がそれぞれ異なる位置関係に配置された状態をそれぞれ示す。
【００２３】
図１に示すように、本実施形態の電子カメラ１１（デジタルカメラ）は、略直方体形状をなすカメラ本体１２とレンズユニット１３（レンズ鏡筒）（図４に示す）とを有している。電子カメラ１１は、カメラ本体１２の上面部に配置された小型な画面を有する上部液晶表示部（以下、「上部表示部１４」という）と、カメラ本体１２の背面部に配置された大型の画面を有する背面液晶表示部（以下、「背面表示部１５」という）とを備える。
【００２４】
上部表示部１４はカメラ本体１２に対して一軸回動可能に連結され、その姿勢を前後に傾動させることで、図１に示す収納状態と図２に示す起立状態とに配置可能となっている。一方、背面表示部１５はその下端中央部でカメラ本体１２に対して二軸回動可能に連結されている。すなわち、背面表示部１５の連結部は、カメラ本体１２の底面と平行な水平回動軸１２ａと、その水平回動軸１２ａと直交する垂直回動軸１２ｂとを有している。そして、背面表示部１５は、電子カメラ１１を水平に配置した状態の下で、水平回動軸１２ａを中心とする約１８０度の上下の傾動と、垂直回動軸１２ｂを中心とする約３６０度の回動とが可能となっている。
【００２５】
図１では、両表示部１４，１５が共に収納状態にある。この状態では、上部表示部１４の画面１４ａが上向きに配置され、背面表示部１５の画面１５ａがカメラ本体１２の背面と略平行に配置される。そして、この状態では、両表示部１４，１５の各画面１４ａ，１５ａが略直交し、両表示部１４，１５は、ユーザーによって同時（一度には）に視認できない位置関係となる。
【００２６】
また、図２では、上部表示部１４が画面を手前側（背面側）に向けた起立状態にあり、背面表示部１５は画面１５ａを背面側に向けた収納状態にある。この状態では、両表示部１４，１５の画面１４ａ，１５ａが同じ側を向いた略平行な位置関係となり、ユーザーは、電子カメラ１１を背面側から覗く視線方向をとることで、両表示部１４，１５の画面１４ａ，１５ａを同時に（一度に）視認可能となる。
【００２７】
さらに、図３では、背面表示部１５を収納状態から水平回動軸１２ａを中心に約９０度下側へ傾動し、かつ垂直回動軸１２ｂを中心に約１８０度反転させて、背面表示部１５の画面１５ａが上側を向いた状態にある。また、上部表示部１４は収納位置に配置されてその画面１４ａが上側を向いている。よって、両表示部１４，１５は共に画面１４ａ，１５ａが上側を向く略平行な状態にあるので、ユーザーは、電子カメラ１１を上方から覗き込む視線方向をとることで、両表示部１４，１５を同時に（一度に）視認可能となる。
【００２８】
このように両表示部１４，１５は、図２及び図３に示したような同時に視認不能な（両方を一度には視認不能な）位置関係（以下、「第１の位置関係」という）と、第１の位置関係から逸脱して各画面１４ａ，１５ａを同時に視認可能な（一度に視認可能な）略平行な第２の位置関係とに配置される。ここで、略平行とみなしうる角度範囲は、例えば３０度以内としている。もちろん、同時に視認可能な角度範囲は、表示部１４，１５の視野角などから決まるため、第１の位置関係を規定する角度範囲を、３０度以内の角度範囲以外の範囲に設定することもできる。例えば視野角の小さい場合は２０度以内、視野角の大きい場合は４０度以内などの角度範囲を設定してもよい。
【００２９】
また、カメラ本体１２の上部右側には、回動操作式の電源スイッチ１７と、電源スイッチ１７の環状部中央に配置されたレリーズボタン１８とが設けられている。また、カメラ本体１２の上部右側にはコマンドダイヤル１９が、上部左側には撮影モードダイヤル２０がそれぞれ設けられている。さらに、カメラ本体１２の上側中央部には、アップ・ダウン動作が可能な内蔵フラッシュ２１が設けられ、その近傍位置にアクセサリー用のシュー２２が設けられている。
【００３０】
また、電子カメラ１１の背面上部にはファインダー２３（ファインダー接眼窓）が設けられている。さらに背面表示部１５の右隣箇所には、ライブビューボタン２５、選択スイッチ２６（マルチセレクター）、ＯＫボタン２７（決定ボタン）及びボタンスイッチ２８が設けられている。選択スイッチ２６は、上下左右を含む多方向のうち任意の一方向を選択可能に構成されている。
【００３１】
さらに、背面表示部１５の図１における左側箇所には、上から順番に、再生ボタン３１、メニューボタン３２、ホワイトバランスボタン３３、１ＳＯ感度ボタン３４、画質モード・画像サイズボタン３５が、縦列配置されて設けられている。なお、これらのボタン３１〜３５は、操作された際に発揮される機能はその時々のモードによって変わる。
【００３２】
図４は、電子カメラの構成を示す模式側断面図である。図４に示すように、電子カメラ１１は、前述のカメラ本体１２とレンズユニット１３とを備える。レンズユニット１３内には、撮像レンズ群３８及び絞り３９が設けられている。撮像レンズ群３８はレンズ３８ａ〜３８ｃを含む複数のレンズより構成される。また、カメラ本体１２内には、クイックリターンミラー４０、焦点板４１、ペンタプリズム４２、接眼レンズ４３、測光センサ４４、シャッター４５、撮像素子４６及び焦点検出用センサ４７を備えている。
【００３３】
本実施形態の電子カメラ１１では、動作モードとして撮影モード及びライブビューモードが設けられている。撮影モードとしては、静止画モード及び動画モードなどが設けられている。電子カメラ１１は、静止画モードが選択された状態で、レリーズボタン１８による撮影操作が行われると、撮影コマごとにクイックリターンミラー４０のアップ・ダウン駆動を行い、静止画の撮影および記録をする。一方、動画モードの場合は、クイックリターンミラー４０を図４の破線で示すアップ位置に保持した状態で、動画を背面表示部１５に表示しながら撮影および記録を行なう。ライブビューモードは、静止画モード設定時にレリーズ前にスルー画像を動画として背面表示部１５に表示するモードである。
【００３４】
図５は、電子カメラの電気的構成を示すブロック図である。なお、図５では、コンピューター内は、コンピューターが果たす機能ブロックで示している。
図５に示すように、電子カメラ１１は、コンピューター５０、電源スイッチ１７、レリーズボタン１８、操作部５１、測光センサ４４、焦点検出用センサ４７、水準器５２（例えば加速度センサ）、第１検出器５３、第２検出器５４、第１表示ドライバ５５、上部表示部１４、第２表示ドライバ５６、背面表示部１５、電源回路５７、撮像素子４６及びアナログ信号処理回路５８などを備えている。
【００３５】
詳しくは、コンピューター５０には、入力系として、電源スイッチ１７、レリーズボタン１８、操作部５１、測光センサ４４、焦点検出用センサ４７、水準器５２、第１検出器５３及び第２検出器５４が電気的に接続されている。また、コンピューター５０には、出力系として、第１表示ドライバ５５及び第２表示ドライバ５６が電気的に接続され、コンピューター５０は第１表示ドライバ５５を介して上部表示部１４の表示制御を行い、第２表示ドライバ５６を介して背面表示部１５の表示制御を行う。
【００３６】
第１検出器５３は、上部表示部１４の回動位置（姿勢角）を検出する検出器であり、上部表示部１４の回動位置に応じた値の検出信号を出力する。また、第２検出器５４は、背面表示部１５の二軸方向の各回動位置を別々に検出可能な第一検出器と第二検出器とを有する検出ユニットとして構成される。そして、第２検出器５４は、背面表示部１５の二軸方向の各回動位置（各姿勢角）に応じた値の２つの検出信号をコンピューター５０へ出力する。そして、コンピューター５０は、検出器５３，５４からの各検出信号に基づき、両表示部１４，１５の位置関係が、ユーザーによる同時視認可能な（両方を一度に視認可能な）略平行な位置関係（第２の位置関係）であるか否かを判断する。両表示部１４，１５が例えば図１に示す位置関係にあれば、コンピューター５０は略平行（第２の位置関係）ではないと判断する。また、両表示部１４，１５が例えば図２及び図３に示す位置関係にあれば、コンピューター５０は、両表示部１４，１５の位置関係が略平行（第２の位置関係）であると判断する。
【００３７】
また、コンピューター５０に接続された電源回路５７は、カメラ本体１２のバッテリ室に収容された電源電池５９から供給される電圧を、電子カメラ１１内の各部で必要な電圧に変換して各部に必要な電力を供給する。詳しくは、コンピューター５０は、電源スイッチ１７がオン操作されると、電源回路５７を制御して電子カメラ１１内の各部への電力供給を開始する。一方、電源スイッチ１７がオフ操作されると、コンピューター５０は電源回路５７を制御して電子カメラ１１内の各部への電力供給を停止する。また、電子カメラ１１には省電モードが設けられている。コンピューター５０は、電源オン状態の下で、何も動作されていない状態で、何も操作されないまま一定時間を経過すると省電モードに移行し、電源をオフする。なお、電源オフ状態でも、コンピューター５０の一部と、電源スイッチ１７、レリーズボタン１８、操作部５１などの操作入力系へは、電源オフ状態の下でも操作信号を検出できるように待機電力が供給されるようになっている。
【００３８】
また、両表示部１４，１５が消灯した省電モードの状態で、ユーザーが表示部１４，１５の姿勢を変化させる操作を行って、両表示部１４，１５が第１の位置関係から第２の位置関係に変更されると、コンピューター５０は、第１及び第２検出器５３，５４からの検出信号に基づいて第２の位置関係への変更を検出する。すると、コンピューター５０は、電源回路５７を制御して電子カメラ１１をオン状態としたうえで表示部１４，１５を表示状態にする。そのため、ユーザーが、両表示部１４，１５の画面１４ａ，１５ａの両方を使って表示エリアを広く確保して、画像及び撮影条件情報などを確認すべく、両表示部１４，１５が略平行となるように操作すれば、自動で電源オン状態となって両表示部１４，１５が表示状態になる。つまり、ユーザーが両表示部１４，１５を第１の位置関係から第２の位置関係に変更したことを、電子カメラ１１を使用する旨の操作であるとして、コンピューター５０は、電子カメラ１１の電源をオンさせて、両表示部１４，１５を表示状態にする。このため、電源スイッチ１７を操作する余分な操作を省略できるようになっている。
【００３９】
また、レリーズボタン１８が半押し操作されると、コンピューター５０は、焦点検出用センサ４７から入力した焦点検出信号に基づいてデフォーカス量などの焦点調節状態の演算を行う。そして、コンピューター５０は、そのデフォーカス量に基づいて図示しない合焦用モータを駆動制御して、撮像レンズ群３８のうちの可動レンズを位置制御して自動合焦制御（ＡＦ制御）を行う。また、コンピューター５０は、測光センサ４４から入力した測光信号に基づき算出された被写体の輝度及び撮像感度（ＩＳＯ感度）に基づいて、シャッター速度と絞り値とを演算する。そして、コンピューター５０は、その絞り値に基づいて図示しない絞り用モータを駆動制御することで、演算された絞り値に絞り３９の絞り込み量を調節する。さらに、レリーズボタン１８が全押し操作されると、コンピューター５０は、演算したシャッター速度に基づいて図示しないシャッター用モータを駆動制御することで、シャッター４５を駆動させる。こうして静止画像の撮影が行われると、撮像素子４６から出力される撮像信号がアナログ信号処理回路５８を介してコンピューター５０に入力される。
【００４０】
ここで、撮像素子４６は、複数の受光素子を２次元状（マトリックス状）に配列した受光面を有している。そして、撮像素子４６は、レンズユニット１３内を通過した光束を受光素子で光電変換して被写体を撮影する。この撮像素子４６の出力はアナログ信号処理回路５８に入力される。なお、本実施形態の撮像素子４６には、ＣＣＤまたはＣＭＯＳ等の公知の固体撮像素子が用いられている。
【００４１】
アナログ信号処理回路５８は、撮像素子４６の出力に対してアナログ信号処理を施すアナログフロントエンド回路からなる。このアナログ信号処理回路５８は、相関二重サンプリングや、画像信号のゲインの調整や、画像信号のＡ／Ｄ変換を行う。そして、アナログ信号処理回路５８から出力されるデジタル画像信号はコンピューター５０へ入力される。
【００４２】
なお、操作部５１は、図１で示された前述のコマンドダイヤル１９、撮影モードダイヤル２０、ライブビューボタン２５、選択スイッチ２６、ＯＫボタン２７、ボタンスイッチ２８、再生ボタン３１、メニューボタン３２及び各ボタン３３〜３５などからなる。また、本実施形態の電子カメラ１１は、ライブビュー機能、撮影画像表示機能（静止画再生機能）、動画撮影機能、動画再生機能、ヒストグラム表示機能、デジタル水準器表示機能などを備えている。
【００４３】
図５に示すコンピューター５０は、ＣＰＵ、ＲＯＭ（例えば不揮発性メモリ（ＥＥＰＲＯＭ等）を含む）及びＲＡＭ等を備える。本実施形態では、コンピューター５０が、ＲＯＭ等に記憶された各種プログラムのうち画像表示処理用のプログラム（図１６〜図２０を参照）を実行することにより、コンピューター５０内にソフトウェアからなる各種機能部が構築される構成となっている。もちろん、図５におけるコンピューター５０内の各機能部は、ソフトウェアに限定されず、コンピューター５０の内部又は外部に設けられた電子回路等（集積回路等）のハードウェアによる構成、あるいはソフトウェアとハードウェアの協働により実現される構成でもよい。
【００４４】
次に、コンピューター５０内の機能ブロックについて説明する。図５に示すように、コンピューター５０には、制御部６１、メモリ６２、モード設定部６３、判定部６４、電源制御部６５、画像処理部６６、顔検出部６７、合焦制御部６８及び表示制御部６９などを備えている。制御部６１は、コンピューター５０内の各部を統括的に制御する。メモリ６２には、図６（ａ），（ｂ）に示すテーブルデータが記憶されたテーブルデータ記憶部６２ａ、拡大倍率設定データを記憶するための拡大倍率記憶部６２ｂ、各種フラグを記憶するためのフラグ記憶部６２ｃが備えられている。ここで、画像中のフォーカスポイントを含む一部領域を拡大表示させたいときには、ユーザーは操作部５１を操作して背面表示部１５に表示されるメニュー画面の拡大設定の項目で、選択スイッチ２６及びＯＫボタン２７を操作して「拡大設定あり」を選択設定する。さらに拡大設定項目の下位層として用意された拡大倍率設定項目中の拡大倍率の候補の中から、選択スイッチ２６及びＯＫボタン２７を操作して所望の拡大倍率（拡大倍率設定データ）を設定する。すると、制御部６１が、その設定された拡大設定の有無情報と拡大倍率設定データとを、メモリ６２の拡大倍率記憶部６２ａに記憶する。この設定された拡大倍率により画像中で拡大対象とされるフォーカスポイントを含む一部領域、つまり拡大表示領域のサイズが決定される。そして、その拡大表示領域の画像をその拡大倍率で拡大した拡大画像を、表示制御部６９が、２つの表示部１４，１５のうちそのときの表示条件等に応じて決まる少なくとも一方に表示させる構成となっている。
【００４５】
モード設定部６３は、ユーザーが操作部５１を操作して設定したモードを設定する。本例の電子カメラ１１では、モードとして、静止画撮影モード、動画撮影モード、ライブビューモード、静止画を再生する撮影画像表示モード、及び動画を再生する動画再生モードなどがある。モード設定部６３は、操作部５１の操作により、対応するモードが設定されると、その設定されたモードに応じた値のビットデータ（例えば２ビット）を、モード設定データとしてメモリ６２のフラグ記憶部６２ｃに記憶する。本例では、撮影画像モード、ライブビューモード、動画モードが、フラグで管理される。
【００４６】
判定部６４は、第１検出器５３と第２検出器５４から入力される各検出信号に基づいて、上部表示部１４と背面表示部１５とが同一方向から同時に視認可能な略平行な状態（つまり第２の位置関係）にあるか否かを判断する。詳しくは、判定部６４は、各検出器５３，５４からの検出信号（姿勢角信号）に基づいて、表示部１４，１５の各々の姿勢角を求め、両者の姿勢角から表示部１４，１５がどのような位置関係にあるかを判定する。判定部６４は、表示部１４，１５が略平行ではない第１の位置関係にあると判定した場合は、判定フラグ「０」をフラグ記憶部６２ｃに書き込み、一方、表示部１４，１５が略平行となる第２の位置関係にあると判定した場合は、判定フラグ「１」をフラグ記憶部６２ｃに書き込む。判定部６４は、この判定処理を所定時間（例えば数１０〜数１００ミリ秒の範囲内の所定値）毎に実行し、判定フラグを、両表示部１４，１５のその時々の位置関係に応じた値に逐次更新する。なお、本実施形態では、第１検出器５３、第２検出器５４及び判定部６４により、検知手段が構成され、第１の位置関係にあると判定したときが第１検知状態に相当し、第２の位置関係にあると判定したときが第２検知状態に相当する。
【００４７】
また、図５に示す画像処理部６６は、アナログ信号処理回路５８から入力される１フレーム分のデジタル画像信号に対して、各種の画像処理（色補間処理、階調変換処理、輪郭強調処理、ホワイトバランス調整など）を施して、画像データを生成する。また、画像処理部６６は、制御部６１の指示によりスルー画像のデータから背面表示部１５の表示用画像（ライブビュー画像）の画像データを生成する。画像処理部６６が生成した画像データは、表示制御部６９及び顔検出部６７へ入力される。さらに、画像処理部６６は、本画像のデータをＪＰＥＧ形式で圧縮する処理や、圧縮された撮影画像データを伸長復元する処理も実行する。
【００４８】
顔検出部６７は、顔検出モードが設定されている場合に、ライブビュー表示中又は動画撮影中にライブビュー画像又は動画像のデジタル画像信号を入力し、ライブビュー画像又は動画像に対して顔認識処理及び顔検出処理を施す。顔検出モードで顔が検出された場合、その顔検出情報は合焦制御部６８及び表示制御部６９に送られる。
【００４９】
また、合焦制御部６８は、レリーズボタン１８が半押し操作されると、制御部６１からの指示により、焦点検出用センサ４７から入力した焦点検出信号に基づいてデフォーカス量などの焦点調節用制御値の演算を行う。そして、合焦制御部６８は、そのデフォーカス量に基づいて図示しない合焦用モータを駆動制御することで、撮像レンズ群３８のうちの可動レンズを位置制御して自動合焦制御（ＡＦ制御）を行う。このとき、合焦制御部６８は、顔検出モードにあるときは、顔検出部６７が検出した顔がフォーカスポントとされ、そのフォーカスポイントの顔に焦点を合わせる自動焦点制御を行う。
【００５０】
表示制御部６９は、上部表示部１４と背面表示部１５に画像を表示するための表示制御を行う。表示制御部６９は、拡大画像やヒストグラム、水準器などの必要な画像を生成する画像生成部７１と、上部表示部１４に画像を表示するための表示処理を行う第１表示処理部７２と、背面表示部１５に画像を表示するための表示処理を行う第２表示処理部７３とを備えている。
【００５１】
この画像生成部７１は、拡大画像を生成する拡大画像生成部７４と、ヒストグラムを生成するヒストグラム生成部７５と、水準器の画像を生成する水準器画像生成部７６と、フォーカスポントの枠や拡大表示領域の枠などの重畳表示用の各種画像を生成する重畳表示画像生成部７７とを備えている。画像生成部７１には、画像処理部６６からのデジタル画像信号が図示しないバッファを介して入力される。
【００５２】
また、拡大画像生成部７４は、デジタル画像信号に基づく画像において、そのときのフォーカスポイントを含みかつそれより大きな所定サイズの一部領域を拡大した拡大画像データを生成する。ここで、電子カメラ１１の操作部５１を操作して背面表示部１５に表示されるメニュー中の設定画面で、ユーザーが設定した拡大倍率の設定データ（拡大倍率設定データ）がメモリ６２の拡大倍率記憶部６２ｂに記憶されている。拡大画像生成部７４は、拡大倍率記憶部６２ｂから読み出した拡大倍率に、画像の一部領域（拡大ポイント）を拡大する拡大処理を行って拡大画像用の画像データを生成する。
【００５３】
ヒストグラム生成部７５は、画像処理部６６からの撮影画像の画像データに基づいて画素を輝度毎に集計してヒストグラムを求め、求めたヒストグラムが描かれたヒストグラム画像９０（図１２、図１３を参照）を生成する。
【００５４】
水準器画像生成部７６は、水準器５２からの検出信号に基づいて電子カメラ１１の傾きを検出し、その検出された電子カメラの傾きに応じて傾きを変化させるカメラ画像を含む水準器画像９１（水準器インジケーター）（図１４、図１５参照）を生成する。
【００５５】
重畳表示画像生成部７７は、ライブビュー表示時や動画撮影時などで画像上に重畳表示させるフォーカスポイント枠ＦＰ、及び全体画像中の拡大領域を示す拡大表示領域ＺＡ（いずれも図１０、図１１を参照）の枠画像を生成する。例えば顔検出モードが設定されているときは、顔検出部６７が検出した顔領域がフォーカスポイントに選択され、合焦制御部６８によりそのフォーカスポイントで焦点が合うように合焦制御が行われる。そして、重畳表示画像生成部７７は、その顔のフォーカスポイント領域を囲む枠画像を生成する。また、拡大表示領域ＺＡは、フォーカスポイントを含む所定サイズの枠画像として生成される。このとき、拡大表示領域ＺＡの枠画像は、メモリ６２の拡大倍率記憶部６２ｂから読み込んだ拡大倍率設定データの拡大倍率に応じた枠サイズで生成される。このとき、拡大表示領域ＺＡの枠サイズは、拡大表示領域ＺＡ内の画像部分をそのとき設定されている拡大倍率で拡大したときに、その拡大した画像サイズが、表示先の表示部における拡大画像の表示サイズに一致するように決定される。よって、拡大倍率が大きいほど、拡大表示領域ＺＡの枠サイズは小さなサイズに決定される。また、電子カメラ１１では、顔検出モード以外にも、複数のフォーカスポイントの決め方が用意されている。例えば任意に選んだ一点（例えばポートレート撮影における被写体の目）に集中して焦点を合わせる合焦制御も用意されている。また、重畳表示画像生成部７７は、背面表示部１５に表示される撮影条件情報８２（図７、図９、図１２、図１３を参照）のうち画像に重畳表示される一部の撮影条件情報の画像の生成も行う。
【００５６】
第１表示処理部７２は、画像処理部６６や画像生成部７１からの画像データや、撮影条件情報などを、上部表示部１４の画面形状・画面サイズに応じた１画面にレイアウトした画像データを生成し、生成した画像データに基づく画像を、第１表示ドライバ５５を介して上部表示部１４に表示させる。第１表示処理部７２は、第１画像データ生成部７８を備え、１画面レイアウトの画像データの生成は、第１画像データ生成部７８が行う。
【００５７】
また、第２表示処理部７３は、画像処理部６６や画像生成部７１からの画像データや、撮影条件情報などを、背面表示部１５の画面形状・画面サイズに応じた１画面にレイアウトした画像データを生成し、生成した画像データに基づく画像を、第２表示ドライバ５６を介して背面表示部１５に表示させる。第２表示処理部７３は、第２画像データ生成部７９を備え、１画面レイアウトの画像データの生成は、第２画像データ生成部７９が行う。
【００５８】
図６は、テーブルデータを示す。図６（ａ）は、ライブビューモードと撮影画像表示モード用のテーブルデータＴＤ１であり、図６（ｂ）は、動画モード用のテーブルデータＴＤ２である。これら動作モードの下位階層には、「通常表示」、「拡大表示」、「ヒストグラム表示」、「水準器表示」の各表示モードがそれぞれ用意されている。
【００５９】
現在のモードは、フラグ記憶部６２ｃに書き込まれたモードフラグを調べることで取得可能となっている。すなわち、ユーザーが操作部５１を操作して動作モードや表示モードを選択すると、モード設定部６３が、そのときの操作部５１からの操作信号に基づいて、現在のモード（動作モード及び表示モード）を決定して、その決定した現在のモード情報を、４ビットのビットデータとして、フラグ記憶部６２ｃに書き込む構成となっている。よって、表示制御部６９は、フラグ記憶部６２ｃからモード情報を読み出せば、現在のモードを把握できる。本例の場合、４ビットのモード情報のうちの上位２ビットが「動作モード」、下位２ビットが「表示モード」を示す。動作モードには、例えばライブビューモード「００」、撮影画像表示モード「０１」、動画モード「１０」が割り当てられている。また、表示モードには、通常表示「００」、拡大表示「０１」、ヒストグラム表示「１０」、水準器表示「１１」が割り当てられている。例えば、「００００」であれば、ライブビューモード（「００」）の通常表示（「００」）を示す。
【００６０】
そして、表示制御部６９は、フラグ記憶部６２ｃから読み出した現在のモード情報及び判定フラグに基づいて、図６（ａ），（ｂ）に示すテーブルデータＴＤ１，ＴＤ２を参照することで、表示部１４，１５のそれぞれの表示内容を決定する。なお、図６（ｂ）における動画モードとは、動画撮影モードと動画再生モードの両方を含み、動画撮影モードと動画再生モードで共通のテーブルデータＴＤ２が使用される。
【００６１】
以下、図７〜図１５を用いて、上部表示部１４と背面表示部１５とが、第１の位置関係（略平行ではない位置関係）と、第２の位置関係（略平行となる位置関係）とに配置されたときの各々の表示内容について説明する。
【００６２】
図７及び図８は、ライブビューモードにおける背面表示部１５と上部表示部１４の各表示内容を示す。ここで、図７は、両表示部１４，１５が第１の位置関係にあるとき、図８は、両表示部１４，１５が第２の位置関係にあるときをそれぞれ示す。
【００６３】
図７に示すように、第１の位置関係にあるとき、背面表示部１５には、ライブビュー画像８１と、撮影条件情報８２とが表示される。撮影条件情報８２は、ライブビュー画像８１に重畳表示される形で、撮影モード「Ｍ」（マニュアル）、データ種「ＲＡＷ」、ホワイトバランス「Ａｕｔｏ」の文字情報が表示され、さらにライブビュー画像８１の下側に配置される形で、測光モードマーク、シャッター速度、絞り値（Ｆ値）、ＩＳＯ感度、記録可能コマ数などの文字情報が表示される。一方、上部表示部１４には、測光モードマーク、シャッター速度、絞り値（Ｆ値）、データ種「ＲＡＷ」、ホワイトバランス、記録可能コマ数などの撮影条件情報８３が表示される。
【００６４】
図８に示すように、第２の位置関係にあるとき、背面表示部１５には、ライブビュー画像８１が表示される。一方、上部表示部１４には、撮影条件情報８３が表示される。つまり、上部表示部１４には、図７において、背面表示部１５と上部表示部１４とで重複していた重複表示内容、すなわち、測光モードマーク、シャッター速度、絞り値（Ｆ値）、記録可能コマ数が表示されると共に、これに加えてＩＳＯ感度とホワイトバランスが表示される。このように必要な撮影条件情報はすべて上部表示部１４に撮影条件情報８３として表示されるので、背面表示部１５には、その画面１５ａほぼ一杯に、ライブビュー画像８１が何も重畳表示されることなくすべて表示される。なお、図８の上部表示部１４に、撮影モード「Ｍ」の表示を追加してもよい。
【００６５】
図９及び図１０は、ライブビューモードで拡大表示させる際の背面表示部１５と上部表示部１４の各表示内容を示す。ここで、図９は、両表示部１４，１５が第１の位置関係にあるとき、図１０は、両表示部１４，１５が第２の位置関係にあるときをそれぞれ示す。図９に示すように、第１の位置関係にあるとき、背面表示部１５には、拡大画像８４と撮影条件情報８２とが表示される。この拡大表示モードでは、拡大画像８４に全体画像８５が重畳表示される。
【００６６】
一方、図１０に示すように、第２の位置関係にあるとき、背面表示部１５には、拡大画像８４と撮影条件情報８２とが表示される。また、上部表示部１４には、全体画像８５が表示される。すなわち、両表示部１４，１５が第１の位置関係から第２の位置関係へ変更されると、全体画像８５の表示先が、背面表示部１５から上部表示部１４へ切り替わる。そのため、上部表示部１４で全体画像を確認しつつ、背面表示部１５で拡大画像８４を何も重畳表示されることなくその全体を見ることが可能となっている。
【００６７】
なお、全体画像８５には、フォーカスポイント枠ＦＰと拡大表示領域ＺＡとが重畳表示される。ここで、フォーカスポイント枠ＦＰは、全体画像８５中で焦点を合わせたエリアを示し、このフォーカスポイント枠ＦＰを含む所定サイズの矩形領域として拡大表示領域ＺＡは表示される。ユーザーが操作部５１を操作して電子カメラ１１に拡大設定の登録を行っておくと、その後、ライブビュー時に拡大表示モードが選択されるようになっている。拡大設定操作は、背面表示部１５に表示されるメニュー画面中の拡大設定の項目で、「拡大設定あり」を選択した後、「拡大倍率」を設定することで行われる。これらの拡大設定情報は、制御部６１によりメモリ６２の所定記憶領域に記憶される。
【００６８】
また、図１１は、動画モードで拡大表示させる際の背面表示部１５と上部表示部１４の各表示内容を示す。同図では両表示部１４，１５が第２の位置関係にある場合を示す。図１１に示すように、第２の位置関係にあるとき、背面表示部１５には、動画８６と、この動画８６の下側に配置された撮影条件情報８２とが表示される。撮影条件情報８２は、測光モードマーク、ビデオ撮影マーク、及び撮影時間、ＩＳＯ感度などの文字情報からなる。また、動画８６には、拡大表示領域ＺＡが重畳表示される。また、上部表示部１４には、拡大画像８７が表示される。すなわち、両表示部１４，１５が第１の位置関係から第２の位置関係へ変更されると、拡大画像８７の表示先が、背面表示部１５から上部表示部１４へ切り替わる。そのため、上部表示部１４で拡大画像８７を確認しつつ、背面表示部１５で動画８６をどこも隠れることなく見ることができる。なお、この動画モードでの拡大設定操作は、ライブビューモード時と基本的に同様である。
【００６９】
図１２及び図１３は、撮影画像表示モードでヒストグラム表示させる際の背面表示部１５と上部表示部１４の各表示内容を示す。ここで、図１２は、両表示部１４，１５が第１の位置関係にあるとき、図１３は、両表示部１４，１５が第２の位置関係にあるときをそれぞれ示す。なお、図１２には、背面表示部１５の表示内容の例として、２種類の表示形式を示している。
【００７０】
図１２に示すように、第１の位置関係にあるとき、背面表示部１５には、撮影画像８８とヒストグラム８９と撮影条件情報８２とが表示される。図１２中の上側の背面表示部１５の表示形式では、撮影画像８８に重畳表示される形で、ヒストグラム８９が表示される。また、図１２中の下側の背面表示部１５の表示形式では、撮影画像８８と、ヒストグラム８９が描かれたヒストグラム画像９０とが別画面枠で表示される。また、上部表示部１４には、撮影条件情報８３が表示される。
【００７１】
一方、図１３に示すように、第２の位置関係にあるとき、背面表示部１５には、撮影画像８８と撮影条件情報８２とが表示される。また、上部表示部１４には、ヒストグラム画像９０が表示される。すなわち、両表示部１４，１５が第１の位置関係から第２の位置関係へ変更されると、ヒストグラム８９の表示先が、背面表示部１５から上部表示部１４へ切り替わる。そのため、上部表示部１４でヒストグラム８９を確認しつつ、背面表示部１５で比較的大きく表示された撮影画像８８の全体を見ることが可能となっている。
【００７２】
図１４及び図１５は、ライブビューモード又は動画モードで水準器表示を行う際の背面表示部１５と上部表示部１４の各表示内容を示す。ここで、図１４は、両表示部１４，１５が第１の位置関係にあるとき、図１５は、両表示部１４，１５が第２の位置関係にあるときをそれぞれ示す。なお、図１４には、背面表示部１５の表示内容の例として、２種類の表示形式を示している。
【００７３】
図１４に示すように、第１の位置関係にあるとき、背面表示部１５には、ライブビュー画像８１と水準器画像９１（水準器インジケーター）と撮影条件情報８２とが表示される。図１４中の上側の背面表示部１５の表示形式では、ライブビュー画像８１に重畳表示される形で、水準器画像９１が表示される。また、図１４中の下側の背面表示部１５の表示形式では、ライブビュー画像８１と水準器画像９１とが別画面枠で表示される。また、上部表示部１４には、撮影条件情報８３が表示される。
【００７４】
一方、図１５に示すように、第２の位置関係にあるとき、背面表示部１５には、ライブビュー画像８１と撮影条件情報８２とが表示される。また、上部表示部１４には、水準器画像９１が表示される。すなわち、両表示部１４，１５が第１の位置関係から第２の位置関係へ変更されると、水準器画像９１の表示先が、背面表示部１５から上部表示部１４へ切り替わる。そのため、上部表示部１４で水準器画像９１を見て電子カメラ１１の傾斜を確認しつつ、背面表示部１５で比較的大きく表示されたライブビュー画像８１の全体を見ることが可能となっている。なお、動画モードにも水準器表示モードがあるが、ライブビューと動画の違いだけで、水準器画像の表示の仕方は基本的に同様である。
【００７５】
次に電子カメラ１１の表示処理を説明する。まず、図１６のフローチャートを用いてライブビュー時の通常表示処理について、図７及び図８を参照しつつ説明する。ユーザーが操作部５１（ライブビューボタン２５）を用いてライブビュー実行操作を行うと、コンピューター５０が図１６のフローチャートで示される通常表示処理用プログラムを実行する。
【００７６】
まず、ステップＳ１０では、判定部６４が、２つの表示部１４，１５が略平行であるか、つまり第２の位置関係にあるか否かを判断する。略平行（第２の位置関係）でなければステップＳ２０に進み、略平行であればステップＳ４０に進む。
【００７７】
ステップＳ２０では、上部表示部１４に「撮影条件情報」を表示する。次のステップＳ３０では、背面表示部１５に「撮影画像＋撮影条件情報」を表示する。詳しくは、表示制御部６９が、モード情報と判定フラグとに基づき、メモリ６２のテーブルデータＴＤ１，ＴＤ２を参照して、上部表示部１４と背面表示部１５の各表示内容を取得する。この場合、図６に示すように、ライブビューモードにおける通常表示モードで、判定フラグが「０」の場合であるので、上部表示部１４が「撮影条件情報」、背面表示部１５が「撮影画像＋撮影条件情報」となる。これらの情報に従って、第１表示処理部７２の第１画像データ生成部７８が、上部表示部用の「撮影条件情報」を表示するための画像データを生成する。そして、第１表示処理部７２はその画像データに基づき、図７に示すように、上部表示部１４に撮影条件情報８３を表示させる。また、第２表示処理部７３の第２画像データ生成部７９が、画像処理部６６からのスルー画像の画像データと、メモリ６２から読み出したその時設定された撮影条件情報の文字データとを用いて、背面表示部用の「撮影画像＋撮影条件情報」を表示するための画像データを生成する。そして、第２表示処理部７３はその画像データに基づき、図７に示すように、背面表示部１５に、ライブビュー画像８１と撮影条件情報８２とを表示させる。
【００７８】
一方、ステップＳ４０では、上部表示部１４に「撮影条件情報」を表示する。次のステップＳ５０では、背面表示部１５に「撮影画像」を表示する。詳しくは、表示制御部６９が、モード情報と判定フラグとに基づき、メモリ６２のテーブルデータＴＤ１，ＴＤ２を参照して、上部表示部１４と背面表示部１５の各表示内容を取得する。この場合、図６に示すように、ライブビューモードにおける通常表示モードで、判定フラグが「１」の場合であるので、それぞれの表示内容は、上部表示部１４が「撮影条件情報」、背面表示部１５が「撮影画像」となる。
【００７９】
これらの情報に従って、第１表示処理部７２の第１画像データ生成部７８が、上部表示部用の「撮影条件情報」を表示するための画像データを生成する。そして、第１表示処理部７２はその画像データに基づき、図８に示すように、上部表示部１４に撮影条件情報８３を表示させる。また、第２表示処理部７３の第２画像データ生成部７９が、画像処理部６６からのスルー画像の画像データと、メモリ６２から読み出したその時設定されている撮影条件情報の文字データとを用いて、背面表示部用の「撮影画像＋撮影条件情報」を表示するための画像データを生成する。そして、第２表示処理部７３はその画像データに基づき、図８に示すように、背面表示部１５に、ライブビュー画像８１を表示させる。
【００８０】
次に、図１７のフローチャートを用いてライブビュー時の拡大表示処理について、図９及び図１０を参照しつつ説明する。ユーザーが操作部５１を用いて拡大設定を行ったうえで、操作部５１によるライブビュー実行操作が行われると、コンピューター５０が図１７に示す拡大表示処理用プログラムを実行する。
【００８１】
まず、ステップＳ１１０では、判定部６４が、２つの表示部１４，１５が略平行であるか、つまり第２の位置関係にあるか否かを判断する。略平行（第２の位置関係）でなければステップＳ１２０に進み、略平行であればステップＳ１４０に進む。
【００８２】
ステップＳ１２０では、上部表示部１４に「撮影条件情報」を表示する。次のステップＳ１３０では、背面表示部１５に「拡大画像＋全体画像＋撮影条件情報」を表示する。詳しくは、表示制御部６９が、モード情報と判定フラグとに基づき、メモリ６２のテーブルデータＴＤ１，ＴＤ２を参照して、上部表示部１４と背面表示部１５の各表示内容を取得する。この場合、図６に示すように、ライブビューモードにおける拡大表示モードで、判定フラグが「０」の場合であるので、上部表示部１４が「撮影条件情報」、背面表示部１５が「拡大画像＋全体画像＋撮影条件情報」となる。
【００８３】
これらの情報に従って、第１表示処理部７２の第１画像データ生成部７８が、上部表示部用の「撮影条件情報」を表示するための画像データを生成する。そして、第１表示処理部７２はその画像データに基づき、図９に示すように、上部表示部１４に撮影条件情報８３を表示させる。また、第２表示処理部７３の第２画像データ生成部７９が、画像処理部６６からのスルー画像が拡大画像生成部７４により拡大処理された拡大画像と、画像処理部６６からのスルー画像を基に重畳表示画像生成部７７により生成された全体画像と、メモリ６２から読み出したその時設定されている撮影条件情報の文字データとを用いて、背面表示部用の「拡大画像＋全体画像＋撮影条件情報」を表示するための画像データを生成する。そして、第２表示処理部７３はその画像データに基づき、図９に示すように、背面表示部１５に、拡大画像８４と、これに重畳表示された全体画像８５と、撮影条件情報８２とを表示させる。このとき、撮影条件情報８２の一部は、拡大画像８４に重畳表示される。
【００８４】
一方、ステップＳ１４０では、上部表示部１４に「撮影条件情報」を表示する。次のステップＳ１５０では、背面表示部１５に「拡大画像＋撮影条件情報」を表示する。詳しくは、表示制御部６９が、モード情報と判定フラグとに基づき、メモリ６２のテーブルデータＴＤ１，ＴＤ２を参照して、上部表示部１４と背面表示部１５の各表示内容を取得する。この場合、図６に示すように、ライブビューモードにおける拡大表示モードで、判定フラグが「１」の場合であるので、それぞれの表示内容は、上部表示部１４が「全体画像」、背面表示部１５が「拡大画像＋撮影条件情報」となる。
【００８５】
これらの情報に従って、第１表示処理部７２の第１画像データ生成部７８が、上部表示部用の「全体画像」を表示するための画像データを生成する。そして、第１表示処理部７２はその画像データに基づき、図１０に示すように、上部表示部１４に全体画像８５を表示させる。また、第２表示処理部７３の第２画像データ生成部７９が、画像処理部６６からのスルー画像が拡大表示された拡大画像の画像データと、メモリ６２から読み出したその時設定されている撮影条件情報の文字データとを用いて、背面表示部用の「拡大画像＋撮影条件情報」を表示するための画像データを生成する。そして、第２表示処理部７３はその画像データに基づき、図１０に示すように、背面表示部１５に、拡大画像８４と撮影条件情報８２とを表示させる。
【００８６】
このように、上部表示部１４と背面表示部１５とが同時に視認可能な第２の位置関係（略平行となる位置関係）にあるときには、全体画像８５が上部表示部１４に表示されるため、背面表示部１５には、画像の一部を隠すような全体画像が重畳表示されることのない拡大画像８４が表示される。よって、ユーザーは上部表示部１４で全体画像８５を見ながら、その全体画像８５中の拡大表示領域ＺＡの拡大画像８４を背面表示部１５で確認することができる。
【００８７】
次に、図１８のフローチャートを用いて動画撮影時の拡大表示処理について、図１１を参照しつつ説明する。ユーザーが操作部５１を用いて拡大設定を行ったうえで、操作部５１による動画撮影実行操作が行われると、コンピューター５０が図１８に示す拡大表示処理用プログラムを実行する。
【００８８】
まず、ステップＳ２１０では、判定部６４が、２つの表示部１４，１５が略平行であるか、つまり第２の位置関係にあるか否かを判断する。略平行（第２の位置関係）でなければステップＳ２２０に進み、略平行であればステップＳ２４０に進む。
【００８９】
ステップＳ２２０では、上部表示部１４に「撮影条件情報」を表示する。次のステップＳ２３０では、背面表示部１５に「全体画像＋拡大画像＋撮影条件情報」を表示する。
一方、ステップＳ２４０では、上部表示部１４に「拡大画像」を表示する。次のステップＳ２５０では、背面表示部１５に「全体画像＋撮影条件情報」を表示する。詳しくは、表示制御部６９が、モード情報と判定フラグとに基づき、メモリ６２のテーブルデータＴＤ１，ＴＤ２を参照して、上部表示部１４と背面表示部１５の各表示内容を取得する。この場合、図６に示すように、動画モードにおける拡大表示モードで、判定フラグが「１」の場合であるので、それぞれの表示内容は、上部表示部１４が「拡大画像」、背面表示部１５が「全体画像＋撮影条件情報」となる。
【００９０】
これらの情報に従って、第１表示処理部７２の第１画像データ生成部７８が、画像処理部６６からのスルー画像が拡大表示された拡大画像の画像データに基づき、上部表示部用の「拡大画像」を表示するための画像データを生成する。そして、第１表示処理部７２はその画像データに基づき、図１１に示すように、上部表示部１４に拡大画像８７を表示させる。また、第２表示処理部７３の第２画像データ生成部７９が、画像処理部６６からの動画像の画像データと、メモリ６２から読み出したその時設定されている撮影条件情報の文字データとを用いて、背面表示部用の「全体画像＋撮影条件情報」を表示するための画像データを生成する。そして、第２表示処理部７３はその画像データに基づき、図１１に示すように、背面表示部１５に、動画８６と撮影条件情報８２とを表示させる。
【００９１】
このように、上部表示部１４と背面表示部１５とが同時に視認可能な第２の位置関係（略平行となる位置関係）にあるときには、拡大画像８７が上部表示部１４に表示されるため、背面表示部１５には、画像の一部を隠すような全体画像が重畳表示されることのない動画８６が表示される。よって、ユーザーは背面表示部１５で動画８６の全体を見ながら、その動画８６中の拡大表示領域ＺＡの拡大画像８７を上部表示部１４で確認することができる。
【００９２】
次に、図１９のフローチャートを用いて撮影画像表示時のヒストグラム表示処理について、図１２及び図１３を参照しつつ説明する。撮影画像表示時に、操作部５１によりヒストグラム表示操作が行われると、コンピューター５０が図１９に示すヒストグラム表示処理用プログラムを実行する。
【００９３】
まず、ステップＳ３１０では、判定部６４が、２つの表示部１４，１５が略平行であるか、つまり第２の位置関係にあるか否かを判断する。略平行（第２の位置関係）でなければステップＳ３２０に進み、略平行であればステップＳ３４０に進む。
【００９４】
ステップＳ３２０では、上部表示部１４に「撮影条件情報」を表示する。次のステップＳ３３０では、背面表示部１５に「撮影画像＋ヒストグラム＋撮影条件情報」を表示する。詳しくは、表示制御部６９が、モード情報と判定フラグとに基づき、メモリ６２のテーブルデータＴＤ１，ＴＤ２を参照して、上部表示部１４と背面表示部１５の各表示内容を取得する。この場合、図６に示すように、撮影画像表示モードにおけるヒストグラム表示モードで、判定フラグが「０」の場合であるので、上部表示部１４が「撮影条件情報」、背面表示部１５が「撮影画像＋ヒストグラム＋撮影条件情報」となる。これらの情報に従って、第１表示処理部７２の第１画像データ生成部７８が、上部表示部用の「撮影条件情報」を表示するための画像データを生成する。そして、第１表示処理部７２はその画像データに基づき、図１２に示すように、上部表示部１４に撮影条件情報８３を表示させる。
【００９５】
また、第２表示処理部７３の第２画像データ生成部７９が、画像処理部６６からの撮影画像の画像データと、ヒストグラム生成部７５により生成されたヒストグラムの画像データと、メモリ６２から読み出したその時設定されている撮影条件情報の文字データとを用いて、背面表示部用の「撮影画像＋ヒストグラム＋撮影条件情報」を表示するための画像データを生成する。そして、第２表示処理部７３はその画像データに基づき、図１２に示すように、背面表示部１５に、撮影画像８８とヒストグラム８９と撮影条件情報８２とを表示させる。このとき、背面表示部１５における表示方法には２種類あり、図１２中の上側の背面表示部１５に示すように、撮影画像８８にヒストグラム８９を重畳表示させる表示形式と、図１２中の下側の背面表示部１５に示すように、撮影画像８８と、ヒストグラム８９が描かれたヒストグラム画像９０とを別画面枠で表示させる表示形式とがある。
【００９６】
一方、ステップＳ３４０では、上部表示部１４に「ヒストグラム」を表示する。次のステップＳ３５０では、背面表示部１５に「撮影画像＋撮影条件情報」を表示する。詳しくは、表示制御部６９が、モード情報と判定フラグとに基づき、メモリ６２のテーブルデータＴＤ１，ＴＤ２を参照して、上部表示部１４と背面表示部１５の各表示内容を取得する。この場合、図６に示すように、ライブビューモードにおけるヒストグラム表示モードで、判定フラグが「１」の場合であるので、それぞれの表示内容は、上部表示部１４が「ヒストグラム」、背面表示部１５が「撮影画像＋撮影条件情報」となる。
【００９７】
これらの情報に従って、第１表示処理部７２の第１画像データ生成部７８が、上部表示部用の「ヒストグラム」を表示するための画像データを生成する。そして、第１表示処理部７２はその画像データに基づき、図１３に示すように、上部表示部１４にヒストグラム８９が描かれたヒストグラム画像９０を表示させる。また、第２表示処理部７３の第２画像データ生成部７９が、画像処理部６６からの撮影画像データと、この画像データに付加されている撮影条件情報の文字データとを用いて、背面表示部用の「撮影画像＋撮影条件情報」を表示するための画像データを生成する。そして、第２表示処理部７３はその画像データに基づき、図１３に示すように、背面表示部１５に、撮影画像８８と撮影条件情報８２とを表示させる。
【００９８】
このように、上部表示部１４と背面表示部１５とが同時に視認可能な第２の位置関係（略平行となる位置関係）にあるときには、ヒストグラム画像９０が上部表示部１４に表示されるため、背面表示部１５には、重畳表示されたヒストグラム画像により画像の一部が隠れることのない撮影画像８８が表示される。よって、ユーザーは上部表示部１４に表示されたヒストグラム画像９０でホワイトバランス等を確認しつつ、背面表示部１５で隠れる部分の少ない撮影画像８８を見ることができる。
【００９９】
次に、図２０のフローチャートを用いてライブビュー時又は動画撮影時の水準器表示処理について、図１４及び図１５を参照しつつ説明する。ライブビュー時又は動画撮影時に、操作部５１によりデジタル水準器表示操作が行われると、コンピューター５０が図２０に示す水準器表示処理用プログラムを実行する。ここで、ライブビュー時と動画撮影時とで水準器表示処理の基本内容は同じなので、以下ではライブビュー時の例で説明する。
【０１００】
まず、ステップＳ４１０では、判定部６４が、２つの表示部１４，１５が略平行であるか、つまり第２の位置関係にあるか否かを判断する。略平行（第２の位置関係）でなければステップＳ４２０に進み、略平行であればステップＳ４４０に進む。
【０１０１】
ステップＳ４２０では、上部表示部１４に「撮影条件情報」を表示する。次のステップＳ４３０では、背面表示部１５に「撮影画像＋水準器＋撮影条件情報」を表示する。詳しくは、表示制御部６９が、モード情報と判定フラグとに基づき、メモリ６２のテーブルデータＴＤ１，ＴＤ２を参照して、上部表示部１４と背面表示部１５の各表示内容を取得する。この場合、図６に示すように、ライブビューモードにおける水準器表示モードで、判定フラグが「０」の場合であるので、上部表示部１４が「撮影条件情報」、背面表示部１５が「撮影画像＋水準器＋撮影条件情報」となる。これらの情報に従って、第１表示処理部７２の第１画像データ生成部７８が、上部表示部用の「撮影条件情報」を表示するための画像データを生成する。そして、第１表示処理部７２はその画像データに基づき、図１４に示すように、上部表示部１４に撮影条件情報８３を表示させる。
【０１０２】
また、第２表示処理部７３の第２画像データ生成部７９が、画像処理部６６からの撮影画像データと、水準器画像生成部７６により生成された水準器画像データと、メモリ６２から読み出したその時設定されている撮影条件情報の文字データとを用いて、背面表示部用の「撮影画像＋水準器＋撮影条件情報」を表示するための画像データを生成する。そして、第２表示処理部７３はその画像データに基づき、図１４に示すように、背面表示部１５に、ライブビュー画像８１と水準器画像９１（水準器インジケーター）と撮影条件情報８２とを表示させる。このとき、背面表示部１５における表示方法には２種類あり、図１４中の上側の背面表示部１５に示すように、ライブビュー画像８１に水準器画像９１を重畳表示させる表示形式と、図１４中の下側の背面表示部１５に示すように、ライブビュー画像８１と水準器画像９１とを別画面枠で表示させる表示形式とがある。
【０１０３】
一方、ステップＳ４４０では、上部表示部１４に「水準器」を表示する。次のステップＳ４５０では、背面表示部１５に「撮影画像＋撮影条件情報」を表示する。詳しくは、表示制御部６９が、モード情報と判定フラグとに基づき、メモリ６２のテーブルデータＴＤ１，ＴＤ２を参照して、上部表示部１４と背面表示部１５の各表示内容を取得する。この場合、図６に示すように、ライブビューモードにおける水準器表示モードで、判定フラグが「１」の場合であるので、それぞれの表示内容は、上部表示部１４が「水準器」、背面表示部１５が「撮影画像＋撮影条件情報」となる。
【０１０４】
これらの情報に従って、第１表示処理部７２の第１画像データ生成部７８が、上部表示部用の「水準器」を表示するための画像データを生成する。そして、第１表示処理部７２はその画像データに基づき、図１５に示すように、上部表示部１４に水準器画像９１を表示させる。また、第２表示処理部７３の第２画像データ生成部７９が、画像処理部６６からのスルー画像の画像データと、メモリ６２から読み出したその時設定されている撮影条件情報の文字データとを用いて、背面表示部用の「撮影画像＋撮影条件情報」を表示するための画像データを生成する。そして、第２表示処理部７３はその画像データに基づき、図１５に示すように、背面表示部１５に、ライブビュー画像８１と撮影条件情報８２とを表示させる。
【０１０５】
このように、上部表示部１４と背面表示部１５とが同時に視認可能な第２の位置関係（略平行となる位置関係）にあるときには、水準器画像９１が上部表示部１４に表示されるため、背面表示部１５には、重畳表示された水準器画像により画像の一部が隠れることのないライブビュー画像８１が表示される。よって、ユーザーは上部表示部１４に表示された水準器画像９１で電子カメラ１１の傾斜を確認しつつ、背面表示部１５で隠れる部分の少ないライブビュー画像８１を見ることができる。
【０１０６】
以上詳述したようにこの第一実施形態によれば、以下の効果が得られる。
（１）上部表示部１４と背面表示部１５とが同時に視認可能な第２の位置関係に配置されると、両表示部１４，１５の表示内容が、同時に視認不能な第１の位置関係にあるときの表示内容から、両表示部１４，１５の総表示エリアを使って表示内容の確認が行える表示内容に切り替わる。よって、第２の位置関係にあるときには、両表示部１４，１５の総表示エリアを有効に使って表示内容を見やすくすることができる。
【０１０７】
（２）両表示部１４，１５が略平行となる位置関係を第２の位置関係として設定したので、ユーザーが両表示部１４，１５を同時に視認すべく意識して平行に配置したときに限り、二画面を総表示エリアとする表示内容に切り替わる。よって、ユーザーの意図に反して表示内容が切り替わる事態を回避することができる。
【０１０８】
（３）両表示部１４，１５が略平行となる第２の位置関係にあるときには、両表示部１４，１５が第１の位置関係にあるときに重複していた重複表示内容（撮影条件情報８２，８３）を、背面表示部１５の表示内容から削除したうえで上部表示部１４だけに表示させる構成とした。よって、例えば電子カメラ１１でライブビュー表示を行っているときには、ユーザーは、上部表示部１４の画面１４ａで撮影条件情報８３を確認しつつ、背面表示部１５の画面１５ａでライブビュー画像８１の全体を見渡すことができる。
【０１０９】
（４）両表示部１４，１５が略平行となる第２の位置関係にあるときには、両表示部１４，１５が第１の位置関係にあるときに撮影画像（拡大画像８４、動画像８６、静止画像８８）に重畳されていた第２の画像（全体画像８５、拡大画像８７、ヒストグラム８９、水準器画像９１）を、背面表示部１５の表示内容から削除したうえで上部表示部１４だけに表示させる構成とした。よって、例えば電子カメラ１１でライブビュー表示、動画撮影、撮影画像表示を行っているときには、ユーザーは、上部表示部１４で第２の画像（全体画像８５、拡大画像８７、ヒストグラム８９、水準器画像９１）を確認しつつ、背面表示部１５で撮影画像（拡大画像８４、動画像８６、静止画像８８）のほぼ全体を見渡すことができる。
【０１１０】
（５）両表示部１４，１５が省電モードで消灯した状態で、両表示部１４，１５のうち少なくとも一方が操作されて第２の位置関係に配置されると、電源制御部６５が、電源回路５７の供給電力を制御して、それまで省電状態にあった両表示部１４，１５を表示状態に復帰させる。よって、動作も操作もなく所定時間経過したときには両表示部１４，１５を省電目的で消灯でき、両表示部１４，１５を使って表示内容を確認すべくそれぞれの姿勢角を略平行になるように調整すれば、両表示部１４，１５を自動で表示状態にすることができる。よって、表示部１４，１５を表示状態とするために電源スイッチ１７を操作するなどの面倒の操作を不要にできる。
【０１１１】
（６）第２の位置関係に配置された状態で背面表示部１５に撮影画像が表示されている最中に、操作部５１の操作でヒストグラム表示が指示されると、上部表示部１４の表示内容が、撮影条件情報８３からヒストグラム画像９０に切り替わり、上部表示部１４がヒストグラム表示専用になる。よって、ユーザーは、上部表示部１４でヒストグラムを確認しつつ、背面表示部１５で撮影画像を見ることができる。
【０１１２】
（７）ライブビュー時又は動画撮影時に、第２の位置関係に配置された状態で背面表示部１５に撮影画像が表示されている最中に、操作部５１の操作で水準器表示が指示されると、上部表示部１４の表示内容が、撮影条件情報８３から水準器画像９１に切り替わり、上部表示部１４が水準器表示専用になる。よって、ユーザーは、上部表示部１４で水準器画像９１（水準器インジケーター）を確認しつつ、背面表示部１５で撮影画像を見ることができる。
【０１１３】
前記実施形態は上記に限定されず、以下の態様に変更することもできる。
（変形例１）図８では、撮影条件情報を上部表示部１４に集中させたが、図７における重複表示内容のうち一部（画像の下側の撮影条件情報や、重畳表示の撮影条件情報の全部又は一部）だけを背面表示部１５から排除した構成でもよい。この場合でも、背面表示部１５のライブビュー画像８１の表示エリアを広くできたり、ライブビュー画像８１から重畳表示を削除又は低減したりできる。また、上部表示部１４と背面表示部１５の表示エリアサイズにさほど差のないカメラであれば、上部表示部１４と背面表示部１５の各表示内容を逆にしてもよい。
【０１１４】
（変形例２）図９では、第１の位置関係にあるとき、背面表示部１５に、拡大画像８４を画面に大きく表示し、全体画像８５を拡大画像８４の一部領域に小さく重畳表示したが、この逆でもよい。この場合、第２の位置関係にあるとき、図１０に替えて、背面表示部１５に全体画像８５を表示し、上部表示部１４に拡大画像８４を表示する。
【０１１５】
（変形例３）図１１において上部表示部１４と背面表示部１５の各表示内容を逆とし、第２の位置関係にあるとき、背面表示部１５に拡大画像８７を表示し、上部表示部１４に動画８６を表示してもよい。
【０１１６】
（変形例４）図１３において上部表示部１４と背面表示部１５の各表示内容を逆とし、第２の位置関係にあるとき、背面表示部１５にヒストグラム画像９０を表示し、上部表示部１４に撮影画像８８を表示してもよい。
【０１１７】
（変形例５）図１５において上部表示部１４と背面表示部１５の各表示内容を逆とし、第２の位置関係にあるとき、背面表示部１５に水準器画像９１を表示し、上部表示部１４にライブビュー画像８１を表示してもよい。
【０１１８】
（変形例６）背面表示部１５がカメラ本体１２に対して一軸回動可能に連結された構成も採用できる。この場合、図１における電子カメラにおいて、背面表示部１５をその上端中央部にてカメラ本体１２と１本の水平回動軸で連結する構成とすればよい。この構成であれば、背面表示部１５を収納状態から上側へ約９０度傾動させれば、背面表示部１５と上部表示部１４とを、第２の位置関係（略平行となる配置関係）に配置できる。また、上部表示部１４を二軸回動可能な状態でカメラ本体に連結した構成も採用できる。
【０１１９】
（変形例７）前記実施形態では、複数の表示部のすべてを回動式としたが、複数の表示部のうち少なくとも１つが回動式であれば足りる。つまり、複数の表示部のうち少なくとも１つの表示部の回動操作により、少なくとも２つの表示部が略平行となる第２の位置関係に配置できる構成であれば足りる。
【０１２０】
（変形例８）第１表示部と第２表示部の配置位置は、カメラ本体１２の上面と背面に限定されず、カメラ本体１２の任意の位置に設定してよい。また、表示部の個数は、第１表示部と第２表示部の２個に限定されず、第１表示部と第２表示部とを含む３個以上の複数個の表示部を備えた構成も採用できる。
【０１２１】
（変形例９）第１検知状態と第２検知状態との間に非検知状態があってもよい。この場合、非検知状態の表示内容は、第１検知状態の際の表示内容と、第２検知状態の際の表示内容のうちどちらであってもよい。例えば第１検知状態から第２検知状態へ切り替わる途中の非検知状態では第１検知状態の際の表示内容が維持され、一方、第２検知状態から第１検知状態へ切り替わる途中の非検知状態では第２検知状態の際の表示内容が維持される構成としてもよい。要するに、第１検知状態と第２検知状態とで、第１表示部と第２表示部との位置関係に応じた表示内容に切り替わればよい。
【０１２２】
（変形例１０）第１表示部と第２表示部のうち少なくとも一方を、モータ等のアクチュエータの動力で姿勢変更可能に駆動される構成としてもよい。例えばカメラには、表示部の収納状態から離れる方向への姿勢変更をさせる開操作と、表示部の収納側への姿勢変更をさせる閉操作とが可能な表示部駆動用の操作ボタンが設けられ、ユーザーが表示部駆動用の操作ボタンを押している間、表示部の姿勢角を調整できる構成が挙げられる。もちろん、ユーザーが表示部駆動用の操作ボタンを押すと、表示部が収納状態から例えば約９０度回動して、第１表示部と第２表示部が、第１の位置関係から第２の位置関係に配置される構成も採用できる。
【０１２３】
（変形例１１）カメラは、電子カメラ（デジタルカメラ）に限定されず、フィルム式カメラでもよい。
【符号の説明】
【０１２４】
１１…カメラとしての電子カメラ、１２…カメラ本体、１７…電源スイッチ、１８…レリーズボタン、１４…第１表示部としての上部表示部、１４ａ…表示画面としての画面、１５…第２表示部としての背面表示部、１５ａ…表示画面としての画面、５０…コンピューター、５１…操作部、５２…水準器、５３…検知手段を構成する第１検出器、５４…検知手段を構成する第２検出器、５５…第１表示ドライバ、５６…第２表示ドライバ、５７…電源回路、５８…アナログ信号処理回路、５９…電源電池、６１…制御部、６２…メモリ、６２ａ…テーブルデータ記憶部、６２ｂ…拡大倍率記憶部、６２ｃ…フラグ記憶部、６３…モード設定部、６４…検知手段を構成する判定部、６５…モード切替手段としての電源制御部、６６…画像処理部、６７…顔検出部、６８…合焦制御部、６９…表示制御手段を構成する表示制御部、７１…画像生成部、７２…第１表示処理部、７３…第２表示処理部、７４…拡大画像生成部、７５…ヒストグラム生成部、７６…水準器画像生成部、７７…重畳表示画像生成部、７８…第１画像データ生成部、７９…第２画像データ生成部、８１…ライブビュー画像、８２…撮影条件情報、８３…撮影条件情報、８４…拡大画像、８５…全体画像、８６…動画、８７…拡大画像、８８…撮影画像、８９…ヒストグラム、９０…ヒストグラム画像、９１…水準器画像、ＦＰ…フォーカスポイント枠、ＺＡ…拡大表示領域。
【図１】
2010192998.tif 000003
【図２】
2010192998.tif 000004
【図３】
2010192998.tif 000005
【図４】
2010192998.tif 000006
【図５】
2010192998.tif 000007
【図６】
2010192998.tif 000008
【図７】
2010192998.tif 000009
【図８】
2010192998.tif 000010
【図９】
2010192998.tif 000011
【図１０】
2010192998.tif 000012
【図１１】
2010192998.tif 000013
【図１２】
2010192998.tif 000014
【図１３】
2010192998.tif 000015
【図１４】
2010192998.tif 000016
【図１５】
2010192998.tif 000017
【図１６】
2010192998.tif 000018
【図１７】
2010192998.tif 000019
【図１８】
2010192998.tif 000020
【図１９】
2010192998.tif 000021
【図２０】
2010192998.tif 000022